(57)【要約】【課題】  ヘッダーカードを用いる紙葉類処理装置において、ヘッダーカードナンバーが認識できないとき、このヘッダーカードナンバー及び新規ヘッダーカードナンバーをハンドスキャナで認識して、再発行できるようにした紙葉類処理システム及び紙葉類処理システムの制御方法を提供する。【解決手段】  読めなかったヘッダーカードＣＡは、リジェクトスタッカ８０に集積される（図５（２））。この読めなかったヘッダーカードＣＡ（旧ヘッダーカード）を取り出し、ハンドスキャナで読み込む（図５（３））。次に、再発行するために準備されたヘッダーカード郡ＣＭ１〜ＣＭｎからヘッダーカードＣＭ１を取り出し、ハンドスキャナで読み込む（図６（３））。主制御部５００は、旧ヘッダーカードナンバー、及び新ヘッダーカードナンバーを上位ＰＣ６００に送信することにより更新される。この結果、新ヘッダーカードＣＭ１を用いて紙葉類処理装置で再処理することができる。【選択図】  図１
2007011949.tif 000002
【特許請求の範囲】
【請求項１】
識別記号を付与した第1又は第2のヘッダーカードを、処理単位毎に集積した紙葉類の先端に重ねて供給し、この供給されたヘッダーカード及び前記紙葉類前記を1枚ずつ搬送路に取り出し、搬送して処理する紙葉類処理装置と、上位ＰＣとが通信手段によって接続された紙葉類処理システムであって、
前記紙葉類処理装置は、
前記搬走路に設けられ、前記第1のヘッダーカードの識別記号を読み取る第1の読取手段と、
この第1の読取手段によって前記識別記号が読み取れないとき、この読み取れなかった第1のヘッダーカードの識別記号及び第2ヘッダーカードの識別記号を、静止状態で読み取る第2の読取手段と、
この第2の読取手段によって読み取った第1又は第2のヘッダーカードの識別記号に基づいてヘッダーカードを再発行するための電文を前記上位ＰＣに送信する送信手段と、
前記第2のヘッダーカードを前記紙葉類の先端に重ねて再処理し、その処理結果を前記上位ＰＣに送信する紙葉類処理手段と、
を備え、
前記上位ＰＣは、
前記紙葉類処理装置で使用される第1又は第2のヘッダーカードの識別記号を登録する登録手段と、
前記紙葉類処理装置から送信されてきた前記ヘッダーカードを再発行するための電文を受信する受信手段と、
この受信手段によって受信した前記電文に基づいて前記第1のヘッダーカードの識別記号を前記第２のヘッダーカードの識別記号に更新する更新手段と、
この更新手段によって更新された前記第2のヘッダーカードの識別記号に基づいて前記紙葉類処理装置から送信された処理結果を集計する集計手段と、
を備えたことを特徴とする紙葉類処理システム。
【請求項２】
前記第１の読取手段は、
前記第1又は第2のヘッダーカードの搬送方向と直行する方向に印刷された識別記号であるバーコードを搬送中に読み取り、かつ認識する認識手段を備え、
前記第２の読取手段は、
前記第1及び第2のヘッダーカードに印刷された識別記号であるバーコードを静止した状態で読み取り、かつ認識する認識手段を備えたことを特徴とする請求項１記載の紙葉類処理システム。
【請求項３】
前記第1又は第2のヘッダーカードは、
当該第1又は第2のヘッダーカードの識別記号を非接触ＩＣに記憶させ、当第1又は第2のヘッダーカードに埋設したことを特徴とする請求項１記載の紙葉類処理システム。
【請求項４】
前記第１の読取手段は、
前記第1又は第2のヘッダーカードに埋設された前記非接触ＩＣのデータを搬送中に読み書きする非接触ＩＣリーダライタを備え、
前記第２の読取手段は、
前記第1及び第2のヘッダーカードに埋設された前記非接触ＩＣのデータを静止した状態で読み書きする非接触ＩＣリーダライタを備えたことを特徴とする請求項１記載の紙葉類処理システム。
【請求項５】
識別記号を付与した第1又は第2のヘッダーカードを、処理単位毎に集積した紙葉類の先端に重ねて供給し、この供給されたヘッダーカード及び前記紙葉類前記を1枚ずつ搬送路に取り出し、搬送して処理する紙葉類処理装置と、上位ＰＣとが通信手段によって接続された紙葉類処理システムの制御方法であって、
前記紙葉類処理装置は、
前記第1のヘッダーカードが読み取れないとき、この読み取れなかった第の1ヘッダーカードの識別記号及び第2のヘッダーカードの識別記号を、第2の読取手段によって静止状態で読み取る第1工程と、
この第1工程の終了後、前記第2の読取手段によって読み取った識別記号からなる第1のヘッダーカード及び第2のヘッダーカードの電文を前記上位ＰＣに送信する第2工程と、
この第2工程の終了後、前記第2のヘッダーカードを前記紙葉類の先端に重ねて再処理し、その処理結果を前記上位ＰＣに送信する第3工程と、
を備え、
前記上位ＰＣは、
前記紙葉類処理装置で使用される第1及び第2のヘッダーカードの識別記号を登録する登録手段を備え、前記紙葉類処理装置から送信されてきた前記電文を受信する第４工程と、
この第４工程の終了後、受信した前記電文に基づいて前記第1ヘッダーカードの識別記号を前記第２ヘッダーカードの識別記号に更新する第５工程と、
この第５工程終了後、更新された前記第2ヘッダーカードの識別記号に基づいて前記紙葉類処理装置から送信された処理結果を集計する第６工程と、
を備えたことを特徴とする紙葉類処理システムの制御方法。
【発明の詳細な説明】
【技術分野】
【０００１】
本発明は、紙幣などの紙葉類をヘッダーカードによって設定して処理する紙葉類処理装置に関し、特にこのヘッダーカードが読めないときに再発行可能な紙葉類処理システム及び紙葉類処理システムの制御方法に関する。
【背景技術】
【０００２】
従来、ヘッダーカードを用い銀行券処理装置などの紙葉類処理装置では、回収した紙葉類の回収機関毎に用意されたヘッダーカードを当該紙葉類の先頭に重ね、一括して供給部に供給していた。供給部に供給されたヘッダーカード及び紙葉類は取り出しローラによって1枚ずつ一定間隔に取り出され、紙葉類判別装置によって当該ヘッダーカード及び紙葉類が判別される。
【０００３】
ヘッダーカードは、ヘッダーカードに印刷されている識別記号であるバーコードが読み取られ、ヘッダーカードが認識できた場合には、このヘッダーカード情報に基づいて、紙葉類の真偽判別（真券か、偽券か）、種類（以下、券種と称する。）判別、搬送状態判別、正損判別（再流通可能な正券か、最流通不可能な損券か）などの判別が行われる。この判別結果に基づいて、紙葉類は区分され、施封装置又は集積装置などの処理装置によって区分処理される。この際、施封装置で施封する券種、及び集積装置で集積する券種は、各券種毎に操作員によって紙葉類処理装置を制御する操作表示部からのキー操作又はタッチ入力、もしくはマウスなどによって設定されていた。
【０００４】
ここで、紙葉類判別装置によって認識されたヘッダーカードは、リジェクト集積部（排除券集積部）に集積され、後続して搬送された紙葉類は、上述したように紙葉類判別装置の結果に基づいて区分処理される。一方、認識できなかったヘッダーカードは、リジェクト集積部に集積されるが、後続して搬送された紙葉類は、ヘッダーカードが読めないために区分処理方法が定まらず、搬送される紙葉類をリジェクト集積部に集積すると共に、紙葉類処理装置を停止する。
【０００５】
ここで、従来から、リジェクト集積部に集積されたヘッダーカードを抜き取り、ヘッダーカードに付与されているヘッダーカードナンバーを操作表示部から手入力（キー入力）し、その後、リジェクト集積部及び搬送路に残留している紙葉類を再度供給部に装填して、装置を稼動し再処理していた。また、より確実にヘッダーカードを認識する方法としてヘッダーカードの表裏にヘッダーカードナンバーを印刷して認識する方法が知られている（例えば、特許文献１参照。）。
【特許文献１】特開２００２−３３４３６２号公報  （第２−3頁、図５）
【発明の開示】
【発明が解決しようとする課題】
【０００６】
しかしながら、特許文献１記載の紙葉類処理装置では、ヘッダーカードの認識性能は向上するが、このような手段を用いてもヘッダーカードが認識できない場合、当該ヘッダーカードをリジェクト集積部から抜き取りヘッダーカードに付与されている識別記号であるヘッダーカードナンバーをキー入力して再処理する必要があり、紙葉類処理装置の処理効率が低下するという問題があった。
【０００７】
本発明は、上記問題を解決するためになされたもので、認識できなかったヘッダーカードナンバー及び再発行の新規ヘッダーカードナンバーを紙葉類処理装置に接続されたハンドスキャナタイプのバーコードリーダ（以下、ハンドスキャナと称する。）で認識し、この新規ヘッダーカードを当該紙葉類の先頭に重ねて当該紙葉類を区分処理できるようにした紙葉類処理システム及び紙葉類処理システムの制御方法を提供することを目的とする。
【課題を解決するための手段】
【０００８】
上記目的を達成するために、本発明の請求項１記載の紙葉類処理システムは、識別記号を付与した第1又は第2のヘッダーカードを、処理単位毎に集積した紙葉類の先端に重ねて供給し、この供給されたヘッダーカード及び前記紙葉類前記を1枚ずつ搬送路に取り出し、搬送して処理する紙葉類処理装置と、上位ＰＣとが通信手段によって接続された紙葉類処理システムであって、前記紙葉類処理装置は、前記搬走路に設けられ、前記第1のヘッダーカードの識別記号を読み取る第1の読取手段と、この第1の読取手段によって前記識別記号が読み取れないとき、この読み取れなかった第1のヘッダーカードの識別記号及び第2ヘッダーカードの識別記号を、静止状態で読み取る第2の読取手段と、この第2の読取手段によって読み取った第1又は第2のヘッダーカードの識別記号に基づいてヘッダーカードを再発行するための電文を前記上位ＰＣに送信する送信手段と、前記第2のヘッダーカードを前記紙葉類の先端に重ねて再処理し、その処理結果を前記上位ＰＣに送信する紙葉類処理手段と、を備え、前記上位ＰＣは、前記紙葉類処理装置で使用される第1又は第2のヘッダーカードの識別記号を登録する登録手段と、前記紙葉類処理装置から送信されてきた前記ヘッダーカードを再発行するための電文を受信する受信手段と、この受信手段によって受信した前記電文に基づいて前記第1のヘッダーカードの識別記号を前記第２のヘッダーカードの識別記号に更新する更新手段と、この更新手段によって更新された前記第2のヘッダーカードの識別記号に基づいて前記紙葉類処理装置から送信された処理結果を集計する集計手段と、を備えたことを特徴とする。
【０００９】
さらに、本発明の請求項５記載の紙葉類処理システムの制御方法は、識別記号を付与した第1又は第2のヘッダーカードを、処理単位毎に集積した紙葉類の先端に重ねて供給し、この供給されたヘッダーカード及び前記紙葉類前記を1枚ずつ搬送路に取り出し、搬送して処理する紙葉類処理装置と、上位ＰＣとが通信手段によって接続された紙葉類処理システムの制御方法であって、前記紙葉類処理装置は、前記第1のヘッダーカードが読み取れないとき、この読み取れなかった第の1ヘッダーカードの識別記号及び第2のヘッダーカードの識別記号を、第2の読取手段によって静止状態で読み取る第1工程と、この第1工程の終了後、前記第2の読取手段によって読み取った識別記号からなる第1のヘッダーカード及び第2のヘッダーカードの電文を前記上位ＰＣに送信する第2工程と、この第2工程の終了後、前記第2のヘッダーカードを前記紙葉類の先端に重ねて再処理し、その処理結果を前記上位ＰＣに送信する第3工程と、を備え、前記上位ＰＣは、前記紙葉類処理装置で使用される第1及び第2のヘッダーカードの識別記号を登録する登録手段を備え、前記紙葉類処理装置から送信されてきた前記電文を受信する第４工程と、この第４工程の終了後、受信した前記電文に基づいて前記第1ヘッダーカードの識別記号を前記第２ヘッダーカードの識別記号に更新する第５工程と、この第５工程終了後、更新された前記第2ヘッダーカードの識別記号に基づいて前記紙葉類処理装置から送信された処理結果を集計する第６工程と、を備えたことを特徴とする。
【発明の効果】
【００１０】
本発明によれば、認識できなかったヘッダーカードを再発行した新規ヘッダーカードに替えて紙葉類を再処理することができるので、再処理する場合の効率が向上する。
【発明を実施するための最良の形態】
【００１１】
以下、図面を参照して本発明の実施例を説明する。
【実施例】
【００１２】
図１は、本発明の実施例によるヘッダーカードを用いた紙葉類処理システムの概略断面図である。この紙葉類処理システムは、紙葉類処理装置及び上位ＰＣ６００から構成されている。
【００１３】
紙葉類処理装置は、紙葉類処理部１及び主制御部５００で構成され、外部に設けられた上位ＰＣ６００と通信回線によって接続されている。
【００１４】
主制御部５００に接続された操作表示部５０２から操作員の操作によって、入金業務、整理業務などの取引方法の設定、処理した紙葉類Ｐを収納する収納庫（以下、カセットと称する。）を設定するカセットアサイン、及び紙葉類の判別レベルである正損レベル設定などが行われる。この設定の後、供給部１０に供給された複数券種の紙葉類Ｐが一定の間隔で１枚ずつ取り出されて搬送され、上記カセットアサインによって設定されたカセット（５７Ｄ〜６２Ｄ）に収納、又は施封される。
【００１５】
また、設定した業務の取引終了時には、各業務終了に伴う取引の区切り処理が行われる。さらに、１日の業務終了などの単位で取引計数を集計し、上位ＰＣ６００に取引結果を通知するバランス処理が行われる。この上位ＰＣ６００には、例えば、本実施例の紙葉類処理装置が複数台接続され、各紙葉類処理装置の稼動状況の把握や、各紙葉類処理装置からの処理結果の集計を行う。
【００１６】
本実施例の紙葉類処理装置では、ヘッダーカードを読み取らせることによって、上記、操作表示部５０２から操作員によって設定されたと同様に、入金業務、整理業務、カセットアサイン、正損レベル設定、取引の区切り処理、及びバランス処理などを行うこともできるが、ここでは、ヘッダーカードに印刷されたヘッダーカードナンバー（以下、ヘッダーカードＮｏと称する）に対応し金融機関に付与した例えば口座番号が対応しており、このヘッダーカードＮｏと口座番号とは上位ＰＣ６００のヘッダーカードを登録する登録手段としてのメモリ（図示しない）にヘッダーカード登録テーブル６００Ａ（後述する）が記憶されて管理されている。
【００１７】
入金業務とは、予め合計金額のわかっている複数券種の紙葉類Ｐを、紙葉類処理装置を用いて、券種毎、搬送状態毎、正損毎に区分し、紙葉類処理装置で計数した金額が正しいことを確認し、システム（上位ＰＣ６００のこと）に登録する業務である。すなわち、上位ＰＣ６００のヘッダーカードＮoに対応する口座番号で管理されるエリアに入金業務によって区分された券種毎の計数値が登録される。なお、この業務によって処理された紙葉類Ｐは、上述した集積部５７〜６２の各カセット５７Ｄ〜６２Ｄに集積され、又は施封部４で施封される。
【００１８】
整理業務とは、入金業務においてシステム（上位ＰＣ６００）に計数を登録しない業務である。取引した券種を計数することが目的ではなく、一度入金業務などで計数を行った券種をさらに詳細に集積部５７〜６２の各カセット５７Ｄ〜６２Ｄに集積したり、施封を行ったりするために使用する。
【００１９】
カセットアサインとは、集積部５７〜６２の各カセット５７Ｄ〜６２Ｄに収納する券種、及び施封部で施封する券種を設定することである。
【００２０】
正損レベル設定とは、再流通可能な正券と再流通不可能な損券に区分する閾値のレベルを設定することである。
【００２１】
取引の区切り処理とは、各取引終了後、例えば操作表示部５０２に設けられた完了ボタン（図示しない）が押下されたとき、上記集積部５７〜６２に集積された紙葉類を各カセット５７Ｄ〜６２Ｄに収納する処理のことで、紙葉類が収納された各カセットは、操作員によって空のカセットと交換される。
【００２２】
ここで、紙葉類Ｐが搬送されるときの搬送状態について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送状態が形成される。
【００２３】
紙葉類処理部１は、紙葉類Ｐを供給する供給部１０と、この供給部１０から供給された紙葉類Ｐを１枚ずつ取り出す紙葉類取出装置２００と、この紙葉類取出装置２００によって取り出された紙葉類Ｐを搬送する搬送路１６とを有している。また、この搬送路１６によって搬送される紙葉類Ｐの搬送ピッチを補正する搬送ピッチ補正部２１０が配置されている。さらに、この搬送ピッチ補正部２１０によって搬送ピッチが補正された紙葉類Ｐを１枚ずつ判別する紙葉類判別装置１９、バーコードリーダ７が搬送路１６に沿って配置されている。なお、上記紙葉類判別装置１９とバーコードリーダ（第1読取手段）７の配置順序は逆でもよく、同様の効果が得られる。上記紙葉類判別装置１９の判別結果に基づき紙葉類Ｐの搬送状態を揃えるために反転する反転処理部が配置されている。このようにして搬送状態の揃えられた紙葉類Ｐは操作表示部５０２によって、区分方法が設定されると、この設定に基づいて施封する施封部４で施封され、又は券種毎に集積する集積部５７〜６２に集積される。
【００２４】
さらに、紙葉類処理部１はインターフェース５０１を介して主制御部５００に接続されている。以下、紙葉類処理部１の構成を紙葉類Ｐの供給部１０から順に説明する。
【００２５】
上記供給部１０は、４種類の搬送状態が混在する紙葉類Ｐを当接して整位するステージ１１と、このステージ１１に対して鉛直方向に立設したバックアッププレート１２とで構成されている。また、このバックアッププレート１２は、バネ１３の付勢力によってステージ１１に沿って左側に移動可能になっている。このようにして供給された紙葉類Ｐは、バックアッププレート１２によりピックアップローラ５側に圧接される。この状態において、紙葉類Ｐは、取り出しローラ３０が回転することにより一定間隔を有して1枚ずつ取り出されて搬送路１６に繰り出される。
【００２６】
搬送ピッチ補正部２１０は、搬送ローラ２１１の搬送方向下流に近接して設置されて紙葉類Ｐを検知するタイミングセンサＳＣ１と、搬送ローラ駆動モータ２１２からの駆動力によって回転速度を可変することができる搬送ローラ２１３と、この搬送ローラ２１３に対向配置されたピンチローラ２１４及び搬送ローラ駆動モータ２１２を制御する搬送ピッチ制御部（図示なし）とで構成される。
【００２７】
分岐ゲートＧ１は、例えば、リジェクト券と、処理券とに振り分けるゲートである。リジェクト券とは、紙葉類判別装置１９の紙葉類判別部（詳細は、後述する。）で紙葉類Ｐを判別した結果、紙葉類Ｐが偽券、又は折れ、破れ、スキューなどにより判別のできない「判別不能券」と判別された紙葉類をいう。この判別結果を搬送制御部（詳細は、後述する）が受信すると、分岐ゲートＧ１を右側（時計方向）に回動することにより、当該リジェクト券をリジェクト集積部８０に集積する。
【００２８】
また、処理券とは、紙葉類判別装置１９の紙葉類判別部で判別された紙葉類Ｐが真券で正券、又は真券で損券をいう。搬送制御部は、その判別結果を受信すると、分岐ゲートＧ１を左側（反時計方向）に回動して、当該紙葉類を区分処理する。
【００２９】
第１の読取手段であるバーコードリーダ７、及び第２読取手段であるハンドスキャナ８は、ヘッダーカードを照明する照明部（図示しない）、この照明部によって照明されたエリアの反射光をＣＣＤなどのラインセンサでスキャンニングして読み取る読取部（図示しない）、及びこの読取部で読み取った読み取り画像の文字認識を行う認識部（図示しない）を備えており、ヘッダーカードに印刷されたバーコードを読み取り認識する。バーコードリーダ７は、紙葉類処理部１の搬送路１６に組み込まれているが、ハンドスキャナ８は、搬送路１６には組み込まれておらず、搬送路操作員が手に持ってバーコードの読み取りを行う。
【００３０】
バーコードリーダ７は、ヘッダーカードの搬送方向と直行する方向に印刷されたヘッダーカードの識別記号であるバーコードを、当該ヘッダーカードの搬送中に読み取り、かつ認識する。また、ハンドスキャナ８は、ヘッダーカードに印刷された当該ヘッダーカードの識別記号であるバーコードを、当該ヘッダーカードの静止状態で読み取り、かつ認識する。なお、詳細は後述するが、バーコードにはさまざまな種類が存在するため、使用するバーコードに適合するように読取部及び認識部のコード体系は事前に設定される。
【００３１】
紙葉類判別装置１９は紙葉類Ｐを判別するためのラインセンサを備えているため、このラインセンサによって上記バーコードリーダの機能を兼ねることも可能であるが、本実施例では、バーコードリーダ７を別途設けた場合について以下に説明する。
【００３２】
反転処理部は、スイッチバック反転部３及び表裏反転部９で構成され、取り揃える方向により上記スイッチバック反転部３及び表裏反転部９の一方、若しくは両方が使用される。
【００３３】
スイッチバック反転部３は、搬送ローラ対３００、３０１の搬送方向下流に近接して設置されて紙葉類Ｐを検知するタイミングセンサＳＣ２と、このタイミングセンサＳＣ２の搬送方向下流に近接して設置された分岐ゲートＧ１０、Ｇ１１と、反転処理部取り込みローラ３０２、３０３とによって反転部３１１に取り込まれる。
【００３４】
反転部３１１は、取り込んだ紙葉類Ｐを図示矢印Ａ３１の方向に搬送するために正回転する逆転ローラ３０４及びピックアップローラ３０５と、この逆転ローラ３０４を駆動する逆転ローラ駆動モータ３１０と、搬送ローラ３０６、３０７とで構成される。
【００３５】
また、反転部３１１に取り込んだ紙葉類Ｐを反転するために図示矢印Ａ３２の方向に搬送し、スイッチバック反転部３から放出するための搬送ローラ３０８、３０９が設けられている。
【００３６】
ここで、逆転ローラ３０４は、紙葉類Ｐを図示矢印Ａ３１の方向に搬送する場合は正回転し、図示矢印Ａ３２の方向に搬送する場合は逆回転する。
【００３７】
分岐ゲートＧ２は、表裏反転分岐ゲートである。紙葉類判別部で判別された紙葉類Ｐの搬送状態の結果に基づき、表裏反転を必要とする場合に右側（時計方向）に回動し、紙葉類Ｐを図示矢印Ａ６で示す表裏反転部９を通過させる。また、表裏反転を必要としない場合、分岐ゲートＧ２を、左側に回動し、紙葉類Ｐを図示矢印Ａ４で示す方向に搬送させる。
【００３８】
表裏反転部９は、紙葉類判別装置１９の紙葉類判別部で判別された結果に基づき、紙葉類Ｐの搬送状態の表裏を反転する。例えば搬送状態が裏逆（ＢＦ）の場合、表裏反転部９によって表正ＦＦになる。
【００３９】
分岐ゲート（第1分岐手段）Ｇ３は、搬送される紙葉類Ｐを搬送路（主搬送路）１６から施封部４、又は集積部５７〜６２に分岐する分岐ゲートである。搬送される紙葉類Ｐが主制御部５００、又はヘッダーカードによって施封するように指定された券種の場合、搬送制御部は、分岐ゲートＧ３を右側（時計方向）に回動し、紙葉類Ｐを施封部４が設けられている図示矢印Ａ４０の方向に搬送する。また、それ以外の券種の紙葉類Ｐは、ゲートＧ３からゲートＧ４〜Ｇ８を経由して集積部５７〜６２に集積するように振り分けられる。
【００４０】
施封部４及び集積部５７〜６２には、紙葉類Ｐが搬送される搬送路から分離するために搬送路の終端に紙葉類Ｐを集積する集積装置として羽根車集積装置が設けられている。
【００４１】
この羽根車集積装置は、例えば、集積部５７の場合、羽根車５７Ａ、一時集積庫５７Ｂ、シャッター５７Ｃ、カセット５７Ｄ、及び集積を補佐するプッシャ（図示しない）などの装置で構成される。
【００４２】
羽根車５７Ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙葉Ｐの運動エネルギーを吸収しながら、かつ、紙葉類Ｐを整位しながら一時集積庫５７Ｂに集積する。
【００４３】
一時集積庫５７Ｂは、集積部５７〜６２で使用される一時集積庫５７Ｂと、施封部４の一時集積庫４２Ｂ、４３Ｂとでは以降で処理する目的が異なるために形態が異なっている。
【００４４】
集積部５７〜６２で使用される一時集積庫５７Ｂには、シャッター５７Ｃが備えられており、このシャッター５７Ｃの上に紙葉類Ｐが集積される。そして、このシャッター５７Ｃに集積された紙葉類Ｐは、例えば満杯になったとき、又は業務終了指示（図示しない）などがあると、シャッター５７Ｃが開き、シャッター５７Ｃ下部に設けられたカセット５７Ｄに落下して集積される。
【００４５】
一方、施封部４の一時集積庫４２Ｂ、４３Ｂでは、バックアッププレート４２Ｃ、４３Ｃの上に集積された紙葉類Ｐが１００枚（以下、１００枚紙葉類４５と称する。）に達すると、プッシャー(図示しない)が下降して、この１００枚紙葉類４５を一時集積庫４２Ｂ、４３Ｂに押し込む。次に、バックアッププレート４２Ｃ、４３Ｃとプッシャーで１００枚紙葉類４５を保持して後述する搬送キャリア４４Ｄに渡す。
【００４６】
施封部４（施封手段）は、第１集積部４２、第２集積部４３、搬送部、紙帯部４６、帯送り部４７、帯巻き部４８で構成される。本実施例では、施封部４が、上記第１集積部４２、第２集積部４３を有している場合を説明するが、必要に応じてこれら２個の集積部を対にして複数セット用いてもよい。
【００４７】
第１集積部４２及び第２集積部４３は、共に同様に構成されているため、第１集積部４２についてその構成を説明し第２集積部４３の説明を省略する。
【００４８】
第１集積部４２には、施封搬送路４０Ａから紙葉類を分岐する分岐ゲートＧ１２、振り分けられた紙葉類Ｐを搬送する搬送路４０Ｂ、搬送４０Ｂの終端から送り出された紙葉類を受け取る羽根車４２Ａ、この羽根車４２Ａによって受け取られた紙葉類Ｐを集積する一時集積庫４２Ｂ、集積された紙葉類Ｐを押圧するプッシャーが設けられている。以下、施封部４の各部構成について詳細に説明する。
【００４９】
一時集積庫４２Ｂは、搬送される紙葉類Ｐを計数し１００枚毎に区分して集積するバックアッププレート４２Ｃを備えている。
【００５０】
搬送部は、縦搬送路４４Ａ、４４Ｂ、搬送キャリア４４Ｄ、及び横搬送路４４Ｃから構成される。縦搬送路４４Ａ、４４Ｂは、バックアッププレート４２Ｃ、４３Ｃで受けた１００枚紙葉類４５を上昇又は下降するためのものである。また、搬送キャリア４４Ｄは、縦搬送路４４Ａ又は縦搬送路４４Ｂの停止位置でバックアッププレート４２Ｃ又は４３Ｃから１００枚紙葉類４５を受け、施封トレイ（図示しない）に渡すために横搬送路４４Ｃ上を往復移動することができるように構成される。
【００５１】
紙帯部４６は、施封トレイに積載された１００枚紙葉類４５を施封するための紙帯４６Ａ、この紙帯４６Ａに印刷するための印刷機能と印刷された紙帯４６Ａを送る機能とを備えた帯送り部４７、１００枚紙葉類４５を帯送り装置から送られた印刷済み紙帯で施封する帯巻き部４８、及び施封部４を制御する施封制御部４００とで構成される。
【００５２】
図２は、紙葉類判別装置１９及び主制御部５００の構成、並びに上位ＰＣ６００との接続状態を示すブロック図である。紙葉類判別装置１９は、紙葉類Ｐの判別を行う紙葉類判別部２０と、搬送される紙葉類Ｐの行き先を決定する搬送制御部２６とで構成され、バーコードリーダ７に接続される。なお、搬送制御部２６は、紙葉類判別装置１９と分離して設けても同様に機能させることが可能である。
【００５３】
紙葉類判別部２０は、紙葉類Ｐの材質に関わる光学的特性や磁気的特性を検出するための複数のセンサ１〜ｎ、これらセンサ１〜ｎの出力信号を増幅する増幅回路１〜ｎ、この増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から真偽（本物か偽物か）、正損（正券か損券か）を判別する他、紙葉類判別部２０の全体を制御するＣＰＵ２１と、このＣＰＵ２１によってアクセスされる記憶部２５、及びＣＰＵ２１で判別された結果やデータ及びバーコードリーダ７の認識結果を主制御部５００との間で通信するためのＩ／Ｆ部２２とで構成される。
【００５４】
また、搬送制御部（制御手段）２６は、紙葉類判別部２０の判別結果により、搬送される紙葉類Ｐの行き先を決定して、紙葉類Ｐの搬送制御を行うＣＰＵ２７と、このＣＰＵ２７によってアクセスされる記憶部２９と、紙葉類判別部２０とのＩ／Ｆ部２８とで構成される。
【００５５】
このＣＰＵ２１は、バーコードリーダ７の認識結果である上記ヘッダーカードの読み取り結果に基づいて、紙葉類Ｐを処理するために処理方法を設定する。すなわち、このＣＰＵ２１によって、紙葉類を処理する取引方法の設定、紙葉類判別装置によって紙葉類Ｐを判別する判別レベルの設定、及び取引方法設定及び判別レベル設定に基づいて紙葉類Ｐを区分して収納する集積装置のカセットアサインの設定が行われる。
【００５６】
なお、上記ＣＰＵ２１によって認識されたヘッダーカードの読み取り結果は、搬送制御部２６に送信され、搬送制御部２６によって、紙葉類Ｐの搬送先が設定される。
【００５７】
以上のように、紙葉類処理部１は、紙葉類Ｐの搬送を制御する搬送制御部２６と、この搬送制御部２６によって搬送された紙葉類Ｐを施封する施封制御部４００によって制御される。
【００５８】
主制御部５００は、主制御部５００を制御するＣＰＵ５０４、記憶部５０５、インターフェース部５０３を備えており、操作表示部５０２、ハンドスキャナ８、及び上位ＰＣ６００に接続されている。
【００５９】
上記記憶部５０４には、ヘッダーカードの再発行時に生成される再発行電文５０５Ｅ（後述する）が記憶される。
【００６０】
ＣＰＵ５０４は、紙葉類処理手段として紙葉類判別部２０から受信した紙葉類の判別結果を上位ＰＣ６００に送信する。上述したように、ここでは、取引の区切り処理が行われた際の取引計数を送信する。さらにＣＰＵ５０４は、ヘッダーカード送信手段としてバーコードリーダ７、及びハンドスキャナ８の認識結果を後述するヘッダーカード再発行電文として上位ＰＣ６００に送信する。
【００６１】
図３は、入金業務を行う場合のヘッダーカードＣＡ〜ＣＥ及び紙葉類Ｐの積載状態である。この図は、取引Ａ、取引Ｂ、取引Ｃ、取引Ｄからなる取引が図示矢印Ａ２方向に１枚ずつ取り出されて順番に処理される場合を示しており、各取引紙葉類Ｐの先頭にヘッダーカードＣＡ〜ＣＥが挿入さている一例である。この例では、取引Ａ〜取引Ｄの順に入金業務が行われ、各取引の終了毎に、取引の区切り処理が行われる。また、集積された紙葉類を収納したカセット５７Ｄ〜６２Ｄが交換される（詳細は、後述する。）。
【００６２】
取引Ａの取引結果は、主制御部５００から上位ＰＣに送信されヘッダーカードＣＡのヘッダーカードＮｏに対応する例えば口座番号―１に登録される。
【００６３】
取引Ｂの取引結果は、主制御部５００から上位ＰＣに送信されヘッダーカードＣＢのヘッダーカードＮｏに対応する例えば口座番号―２に登録される。
【００６４】
取引Ｃの取引結果は、主制御部５００から上位ＰＣに送信されヘッダーカードＣＣのヘッダーカードＮｏに対応する例えば口座番号―３に登録される。
【００６５】
取引Ｄの取引結果は、主制御部５００から上位ＰＣに送信されヘッダーカードＣＤのヘッダーカードＮｏに対応する例えば口座番号―４に登録される。
【００６６】
ヘッダーカードＣＥは、次の取引のためのヘッダーカードとして使用される。
【００６７】
図４は、ヘッダーカードにバーコードを用いた場合の一例である。バーコードにはＣＯＤＥ−９、ＮＷ−７、ＩＴＦ、ＪＡＮ（ＵＰＣ、ＥＡＮ）等さまざまな種類が存在する。ここでは、その中のＩＴＦ（Interleaved Two of Five）コードを用いた場合について説明する。
【００６８】
ＩＴＦコードは、太バー（ワイドバーＷＢ）、細バー（ナローバーＮＢ）、太スペース（ワイドスペースＷＳ）、細スペース（ナロースペースＮＳ）、の組合せで構成され、バー５本とスペース５本でそれぞれ１文字（数字の場合）のキャラクタを構成する。１文字目はバー５本で表し、２文字目はスペース５本で表す構成であるため偶数桁になる。そして、バー、スペースのどちらも有意な情報を示しているため、非常に密度の高い構成になる。また、スタートキャラクタ（ＳＴＡＲＴ）とストップキャラクタ（ＳＴＯＰ）は、他の数字と異なり、図に示すパターンで表す。
【００６９】
ナローバーＮＢとワイドバーＷＢの構成比率は、図に示すようにナローバーＮＢとワイドバーＷＢ、もしくはナロースペースＮＳとワイドスペースＷＳの構成比率は１：２〜１：３の範囲で使用される。
【００７０】
図は、以上の基準に基づいてＩＴＦコードのキャラクタで構成され、ＳＴＡＲＴ、ＳＴＯＰ、及び０〜９の数字を印字した場合を示している。この１０桁の数字を組み合わせることによって上述した各種設定を行うことができる。
【００７１】
例えば、一実施例として、下記（１）〜（２）に示す番号によりヘッダーカードＮｏを構成することができる。  
（１）1桁目〜５桁目：金融機関毎に設定される番号
（２）６桁目〜１０桁目：連続する通し番号
なお、ヘッダーカードＮｏは上記方法に限るものではなく、上述した上位ＰＣ６００の講座番号との関係でユニークな番号を設定することが可能である。
【００７２】
図５は、第１の読取手段であるバーコードリーダ７で認識できなかったヘッダーカード（第1のヘッダーカード）ＣＡを、第２の読取手段であるハンドスキャナ８で認識する方法を模式的に説明した図である。図５（１）は、取引Ａの先頭にヘッダーカードＣＡが重ねられた状態で図３の取引Ａ部分を図示したもので、処理される直前の状態図である。図５（２）はヘッダーカードＣＡが認識されずにリジェクト集積部８０に集積された状態である。図５（３）は、リジェクト集積部８０に集積されたヘッダーカードＣＡを抜き取り、ハンドスキャナ８で読み取り、認識している状態図である。
【００７３】
ここで、バーコードリーダ７で認識できないヘッダーカードＣＡがハンドスキャナ８で認識できる理由を説明する。紙葉類処理装置に備えられたバーコードリーダでは、ヘッダーカードが搬送ベルトなどによって紙葉類と同じ速度で搬送されているため、読み取り位置及び深度が変化し、搬送位置ずれ、搬送スキューなどの搬送状態によっては読み取れない場合が発生する。また、バーコードの一部分が不鮮明な場合や、破損している場合も同様に読み取れない場合が発生する。一方、ハンドスキャナ８で読み取る場合は、ヘッダーカードを静止した状態で読み取るため、上述した不具合がないだけでなく、ハンドスキャナでは、読み取りを開始すると短時間に複数回の読み取り及び認識が繰り返し行われる。また、バーコードの一部が欠損しているような場合は、その部分を避けて読み取り及び認識させることが可能になる。以上の結果、紙葉類処理装置で認識できなかったバーコードであってもハンドスキャナでは認識できる場合が多い。
【００７４】
図６は、読み取れなかったヘッダーカードＣＡを再発行する手順を模式的に説明した図である。図６（１）は、ヘッダーカードＣＡの替わりに再発行するために積載されたヘッダーカード群ＣＭ１〜ＣＭｎを示す。図６（２）は、ヘッダーカード群ＣＭ１〜ＣＭｎから抜き取られたヘッダーカード（第２のヘッダーカード）ＣＭ１を示す。図６（３）は、ヘッダーカードＣＭ１をハンドスキャナ８で読み取り、認識している状態図である。
【００７５】
図７は、入金処理時にヘッダーカードを認識処理するフローチャートである。図５、図６も参照してこのフローチャートを説明する。
【００７６】
初めに紙葉類処理装置でヘッダーカード（例えばＣＡ）、及び取引Ａの紙葉類読み取りを開始する（Ｓ１）。
【００７７】
この結果、ヘッダーカードＣＡが読めなかったとき（Ｓ２のＮｏ）、当該ヘッダーカードは、リジェクトスタッカ８０に集積される（図５（２））。この読めなかったヘッダーカード（ＮＧヘッダーカード）ＣＡを取り出し、ハンドスキャナで読み込む（Ｓ３、図５（３））。
【００７８】
次に、読めなかったヘッダーカードＣＡの替わりのヘッダーカードを再発行するために、別に準備されたヘッダーカード郡ＣＭ１〜ＣＭｎからヘッダーカードを１枚取り出し、この取り出したヘッダーカードＣＭ１をハンドスキャナで読み込む（第1工程、Ｓ４、図６（３））。
【００７９】
次に、操作表示部５０２からヘッダーカード再発行電文を指示すると、図９に示す旧ヘッダーカードナンバー（ヘッダーカードＣＡのナンバー）、及び新ヘッダーカードナンバー（ヘッダーカードＣＭ１のナンバー）が主制御部５００から上位ＰＣに送信される（第２工程、Ｓ５）。
【００８０】
次に、新ヘッダーカードＣＭ１を取引Ａの先頭に重ねて供給部に供給する。紙葉類処理装置で処理する。この処理結果を上位ＰＣに送信する（第３工程、Ｓ６）。
【００８１】
次に、図８〜図１０を参照してヘッダーカード再発行処理を説明する。図８は、上位ＰＣ６００でのヘッダーカード再発行処理のフローチャートである。図９は、ヘッダーカード送信電文を説明するフォーマット図である。図１０は、上位ＰＣ６００のヘッダーカード登録手段としてのヘッダーカード登録テーブル６００Ａである。
【００８２】
なお、上位ＰＣ６００には、ヘッダーカードの識別記号を登録するヘッダーカード登録手段と、紙葉類処理装置から送信されてきた再発行電文を受信する受信手段、この受信手段によって受信した前記再発行電文に基づいて旧ヘッダーカード（第1ヘッダーカード）の識別記号を新ヘッダーカード（第２ヘッダーカード）の識別記号を用いて更新する更新手段、及びこの更新手段に基づいて更新されたヘッダーカード登録テーブル６００Ａに基づいて紙葉類処理装置から送信された処理結果を集計する集計手段が設けられており、以下、図を参照しながら説明する。
【００８３】
上位ＰＣ６００は、主制御部５００から送信された、図９に示す旧ヘッダーカードＮｏと再発行した新ヘッダーカードＮｏを受信する（受信手段、第４工程、Ｓ１０）。
【００８４】
次に、上位ＰＣ６００のヘッダーカード登録テーブル６００Ａに記憶されている旧ヘッダーカードＮｏ１を廃止し（図１０のＡ参照）、この旧ヘッダーカードＮｏ１の替りに新ヘッダーカードＮｏ１を登録する（登録手段、Ｓ１１）。この登録によって新ヘッダーカードの再発行処理が完了し、図１０に示すヘッダーカード登録テーブル６００Ａが更新される（第５工程、更新手段）。このヘッダーカード登録テーブル６００Ａには、口座番号に対応してヘッダーカードナンバー（ヘッダーカードＮｏ）が設けられており、上述したように、ヘッダーカードＮｏが読めなかった場合は、口座番号に対応して再発行されたヘッダーカードＮｏが記憶される。
【００８５】
次に、上位ＰＣ６００は、紙葉類処理装置で再発行されたヘッダーカードを用いて処理された紙葉類の処理結果を集計手段によって集計する（第６工程、Ｓ１２）。この集計手段は、例えば、紙葉類処理装置が複数配置されている場合は、各紙葉類処理装置から送信された処理結果を取引内容毎に集計することができる。
【００８６】
（変形例）
本実施例において、ヘッダーカードの認識記号を接触ＩＣに記憶させ、この非接触ＩＣに記憶された情報を非接触ＩＣリーダライタによって読み書きすることによっても、ヘッダーカードの再発行処理が可能である。すなわち、図１に示す紙葉類処理装置において、バーコードリーダ７及びハンドスキャナ８の替わりに、公知技術である非接触ＩＣリーダライタを設けることによって上述したヘッダーカードの再発行が可能である。
【００８７】
上述したように、本実施例によれば、紙葉類処理装置によってヘッダーカードが認識できないとき、この認識できなかったヘッダーカードの替わりに新しいヘッダーカードをハンドスキャナによって読み込み再登録することにより再処理が可能になるため、ヘッダーカードが読み込めなかったときの再処理効率が向上する。
【図面の簡単な説明】
【００８８】
【図１】本発明の実施例によるヘッダーカードを用いた紙葉類処理システムの概略断面図。
【図２】紙葉類判別装置及び主制御部の構成、並びに上位ＰＣとの接続状態を示すブロック図。
【図３】入金業務を行う場合のヘッダーカード及び紙葉類の積載状態を示す図。
【図４】ヘッダーカードにバーコードを用いた場合の一例を示す図。
【図５】バーコードリーダで認識できなかったヘッダーカードをハンドスキャナで認識する方法を模式的に説明した図。
【図６】読み取れなかったヘッダーカードＣＡを再発行する手順を模式的に説明した図。
【図７】入金処理時にヘッダーカードを認識処理するフローチャート。
【図８】上位ＰＣでのヘッダーカード再発行処理のフローチャート。
【図９】ヘッダーカード送信電文を説明するフォーマット図。
【図１０】上位ＰＣのヘッダーカード登録テーブル。
【符号の説明】
【００８９】
Ｐ  紙葉類
Ｇ１〜Ｇ８  分岐ゲート
Ｇ１２〜Ｇ１４  分岐ゲート
１  紙葉類処理部
７  バーコードリーダ
８  ハンドスキャナ
１０  供給部
１９  紙葉類判別装置
４  施封部
４２〜４５  施封装置
４２Ｅ  横搬送路
４２Ｂ  一時集積庫
４２Ｆ  搬送キャリア
５０  集積部
５７〜６２  集積装置
４００  施封制御部
５００  主制御部
５０２  操作表示部
６００  上位ＰＣ
【図１】
2007011949.tif 000003
【図２】
2007011949.tif 000004
【図３】
2007011949.tif 000005
【図４】
2007011949.tif 000006
【図５】
2007011949.tif 000007
【図６】
2007011949.tif 000008
【図７】
2007011949.tif 000009
【図８】
2007011949.tif 000010
【図９】
2007011949.tif 000011
【図１０】
2007011949.tif 000012